(57)【要約】【課題】電流計等の誤動作や表示の見難さを防止するとともに、構造簡単、安価にする。【解決手段】回転軸３０を支持する回転軸支持部材２９を扉２の内面に設け、一端が回転軸３０に取り付けられた棒状部材３１の他端にゴム部材３２を取り付け、扉２の閉鎖時には扉２の内面に取り付けられた保持部材３３により棒状部材３１をゴム部材３２を上端にして保持収納するとともに、扉２を開いた際には保持部材３３を開放して棒状部材３１を回動し、ゴム部材３２を床面３７に係合させる。【選択図】図１
2009095176.tif 000002
【特許請求の範囲】
【請求項１】
配電盤本体に扉を蝶番を介して水平方向回動自在に取り付けた配電盤の扉ストッパ構造において、扉の内面に取り付けられた回転軸支持部材と、回転軸支持部材に回転自在に支持された回転軸と、一端が回転軸に取り付けられるとともに、他端にゴム部材が取り付けられた棒状部材と、扉の内面に取り付けられ、棒状部材の収納時に棒状部材をゴム部材を上端にした状態で保持する保持部材とを備え、棒状部材の収納時には保持部材により棒状部材をゴム部材を上端にした状態で保持するとともに、扉を開いた際には保持部材を開放して棒状部材を回動し、ゴム部材を床面に係合させることを特徴とする配電盤の扉ストッパ構造。
【請求項２】
前記蝶番に扉が開き過ぎないように扉を係止する係止部材を設けたことを特徴とする請求項１記載の配電盤の扉ストッパ構造。
【発明の詳細な説明】
【背景技術】
【０００１】
図４及び図５は特許文献１に示された従来の配電盤の扉ストッパ構造を示し、それぞれ扉を開いた状態の配電盤の扉ストッパ構造の正面図及び横断平面図を示し、１は配電盤本体、２は支軸３を介して配電盤本体１に開閉自在に支持された扉、４は配電盤本体１の上枠５に水平方向に取り付けられたガイド板であり、ガイド板４は長孔６を有する。７は長孔６の左端の大孔、８はガイド板４の右端部側面に斜めに形成された保持部である。９は扉２の裏面上部に取り付けられた支持金具、１０は基部が支持金具９に回動自在に支持された水平方向のアーム、１１はアーム１０の先端部下面に突設された案内ピンであり、長孔６に挿入され、案内ピン１１の下端には抜け止め体１２が取り付けられ、抜け止め体１２は大孔７から挿入され、案内ピン１１は長孔６を移動し、アーム１０の下面に設けられた保持体１３がガイド板４の上面を摺動し、扉２の開放状態で保持体１３がガイド板４の上面から離れ、保持体８に当たってアーム１０が固定され、扉２の開放状態が保持される。
【０００２】
又、扉２の裏側に設けられた逆Ｌ字状の解除杆１４はほぼ水平方向の横杆１５と、上下方向の縦杆１６とからなり、横杆１５と縦杆１６との連結部１７が支持ピン１８により支持され、解除杆１４は回動自在になっている。横杆１５の先端部には押上体１９が固着され、押上体１９の押上片２０がアーム１０の下方に位置し、押上体１９の下片２１にガイド孔２２が形成され、扉２の裏面に植設されたガイドピン２３がガイド孔２２に挿通され、ガイドピン２３により押上体１９の上下動がガイドされる。又、縦杆１６の下端部にはL形の押圧体２４が固着され、押圧体２４は取手２５とほぼ同じ高さ位置にあり、縦杆１６の押圧体２４より少し高い位置にはガイド溝２６が形成され、扉２の裏面に植設されたガイドピン２７がガイド溝２６に挿入され、ガイドピン２７により縦杆１６の左右動がガイドされる。
【０００３】
前記構成において、扉２の閉塞状態では、案内ピン１１が長孔６の大孔７側に位置し、保持体１３がガイド板４の上面に位置し、取手２５により扉２の閉塞状態を保持しており、把手２５を回して手前に引くと、扉２は開放状態となる。このとき、保持体１３はガイド板４の上面を摺動し、案内ピン１１が長孔６を移動し、保持体１３がガイド板４の上面から離れ、保持体８に当り、扉２の開放状態がロックされて保持される。次に、扉２を閉塞する場合、押圧体２４を扉２の支軸３側へ押圧すると、解除杆１４が扉２の裏面から見て時計方向に回転し、横杆１５の先端の押上体１９が上動し、押上片２０がアーム１０を押し上げ、保持体１３が保持部８から離れ、ロックされた扉２の開放状態が解除され、扉２を閉鎖方向に回動すると、保持体１３がガイド板４上に載り、ガイド板４上を摺動し、扉２が閉鎖される。従って、開放状態に保持された扉２を、押上体２４を押圧することにより容易に閉塞することができ、押上体２４が支軸３とは反対の取手２５側であるため、解除操作がきわめて容易で安全である。
【特許文献１】特開２００１−２９８８１３号公報
【発明の開示】
【発明が解決しようとする課題】
【０００４】
しかしながら、前記した従来の配電盤の扉ストッパ構造は、スライド式を採用しているために、扉２を開閉する時に、ストッパ構造の構成部品の表面に形成された塗料やメッキの粉が扉２の内面に設けられている電流計の端子等の上へ落下し、電流計等が誤動作を生じたり、表示が見難くなったりした。又、構造が複雑であった。
【０００５】
この発明は上記のような課題を解決するために成されたものであり、扉の開閉時に塗料やメッキの粉が電流計等の上へ落下することがなく、電流計等の誤動作や表示の見難さを防止することができるとともに、構造を簡単安価にすることができる配電盤のストッパ構造を得ることを目的とする。
【課題を解決するための手段】
【０００６】
この発明の請求項１に係る配電盤の扉ストッパ構造は、配電盤本体に扉を蝶番を介して水平方向回動自在に取り付けた配電盤の扉ストッパ構造において、扉の内面に取り付けられた回転軸支持部材と、回転軸支持部材に回転自在に支持された回転軸と、一端が回転軸に取り付けられるとともに、他端にゴム部材が取り付けられた棒状部材と、扉の内面に取り付けられ、棒状部材の収納時に棒状部材をゴム部材を上端にした状態で保持する保持部材とを備え、棒状部材の収納時には保持部材により棒状部材をゴム部材を上端にした状態で保持するとともに、扉を開いた際には保持部材を開放して棒状部材を回動し、ゴム部材を床面に係合させるものである。
【０００７】
請求項２に係る配電盤の扉ストッパ構造は、前記蝶番に扉が開き過ぎないように扉を係止する係止部材を設けたものである。
【発明の効果】
【０００８】
以上のようにこの発明の請求項１によれば、扉を開いた際に保持部材を開放して棒状部材を回動し、ゴム部材を床面に係合させており、ゴム部材と床面との摩擦により扉を固定することができる。このように、ストッパ構造がスライド式でないので、塗料やメッキの粉が電流計等の表面に付着することがなく、誤動作や表示の見難さは生じない。又、回転軸支持部材と回転軸と棒状部材とゴム部材と保持部材とから構成しているので、構成が簡単で安価になる。
【０００９】
又、請求項２によれば、蝶番に扉が開き過ぎないように扉を係止する係止部材を設けたので、扉の開き過ぎを防止することができる。
【発明を実施するための最良の形態】
【００１０】
以下、この発明を実施するための最良の形態を図面とともに説明する。図１はこの発明の実施最良形態による配電盤の扉ストッパ構造の斜視図、図２（ａ），（ｂ）は同じく扉ストッパ構造の棒状部材の収納時及びストッパ時の動作説明図、図３（ａ），（ｂ）は同じく扉ストッパ構造の要部横断平面図及び扉を開けた状態の斜視図である。図において、１は配電盤本体、２は配電盤本体１に蝶番２８を介して水平方向回動自在に取り付けられた扉、２９は扉２の内面に取り付けられた回転軸支持部材であり、先端側が上方から見てコ字状となっている。３０は回転軸であり、回転軸支持部材２９に回転自在に支持される。３１は一端が回転軸３０に取り付けられるとともに、他端にゴム部材３２が取り付けられた棒状部材である。又、３３は棒状部材３１の収納時に棒状部材３１をゴム部材３２を上端にした状態で保持する保持部材であり、扉２の内面にねじ３４により着脱自在に取り付けられる。２５は扉２の取手、３５は扉２の内面側に設けられた電流計である。又、蝶番２８には、扉２の開き過ぎを防止するために、ゴム製パッキン等からなる扉２の係止部材３６を取り付ける。
【００１１】
次に、前記構成の動作について説明する。まず、扉２を閉じた状態においては、図２（ａ）に示すように棒状部材３１をゴム部材３２を上端にした状態で保持部材３３により保持し、棒状部材３１を扉２の内側に収納した状態とする。次に、扉２を９０度〜１３０度程度開いたときには、図２（ｂ）に示すようにねじ３４を取り外して保持部材３３を取り外し、棒状部材３１を回転軸３０を中心にして約１８０度回動し、ゴム部材３２をコンクリート面等の床面３７に係合させる。これにより、ゴム部材３２は変形して床面３７との摩擦面が増大し、床面３７との摩擦により扉２は固定される。又、扉２を１３０度以上開こうとすると、扉２は係止部材３６により係止され、扉２が開き過ぎないようにする。
【００１２】
以上のように、前記した実施最良形態においては、扉２を開いた際には、保持部材３３を取り外し、棒状部材３１を回動してゴム部材３２を床面３７と係合させ、ゴム部材３２と床面３７との摩擦により扉２を固定しており、従来のように扉のストッパ構造がスライド式でないので、部品表面に設けられた塗料やメッキの粉が電流計３５等の表面に付着することがないので、電流計３５等が誤動作をすることがなく、表示が見難くなることもない。又、扉ストッパ構造が回転軸支持部材２９と回転軸３０と棒状部材３１とゴム部材３２と保持部材３３とから構成しているので、構成が簡単で安価になる。さらに、蝶番２８に扉２が開き過ぎないように扉２を係止する係止部材３６を設けたので、扉２の開き過ぎを防止することができる。
【００１３】
なお、保持部材３３はねじ３４により着脱自在としたが、着脱が面倒なので、傘立ての留め金のように単に留め金により係脱自在の構造としてもよい。
【図面の簡単な説明】
【００１４】
【図１】この発明の実施最良形態による配電盤の扉ストッパ構造の斜視図である。
【図２】実施最良形態による配電盤の扉ストッパ構造の棒状部材の収納時及びストッパ時の動作説明図である。
【図３】実施最良形態による配電盤の扉ストッパ構造の要部横断平面図及び扉を開けた状態の斜視図である。
【図４】従来の配電盤の扉ストッパ構造の正面図である。
【図５】従来の配電盤の扉ストッパ構造の横断平面図である。
【符号の説明】
【００１５】
１…配電盤本体
２…扉
２８…蝶番
２９…回転軸支持部材
３０…回転軸
３１…棒状部材
３２…ゴム部材
３３…保持部材
３４…ねじ
３５…電流計
３６…係止部材
３７…床面
【図１】
2009095176.tif 000003
【図２】
2009095176.tif 000004
【図３】
2009095176.tif 000005
【図４】
2009095176.tif 000006
【図５】
2009095176.tif 000007
【手続補正書】
【提出日】平成20年1月16日(2008.1.16)
【手続補正１】
【補正対象書類名】明細書
【補正対象項目名】全文
【補正方法】変更
【補正の内容】
【発明の詳細な説明】
【技術分野】
【０００１】
この発明は、配電盤の扉ストッパ構造に関するものである。
【背景技術】
【０００２】
図４及び図５は特許文献１に示された従来の配電盤の扉ストッパ構造を示し、それぞれ扉を開いた状態の配電盤の扉ストッパ構造の正面図及び横断平面図を示し、１は配電盤本体、２は支軸３を介して配電盤本体１に開閉自在に支持された扉、４は配電盤本体１の上枠５に水平方向に取り付けられたガイド板であり、ガイド板４は長孔６を有する。７は長孔６の左端の大孔、８はガイド板４の右端部側面に斜めに形成された保持部である。９は扉２の裏面上部に取り付けられた支持金具、１０は基部が支持金具９に回動自在に支持された水平方向のアーム、１１はアーム１０の先端部下面に突設された案内ピンであり、長孔６に挿入され、案内ピン１１の下端には抜け止め体１２が取り付けられ、抜け止め体１２は大孔７から挿入され、案内ピン１１は長孔６を移動し、アーム１０の下面に設けられた保持体１３がガイド板４の上面を摺動し、扉２の開放状態で保持体１３がガイド板４の上面から離れ、保持体８に当たってアーム１０が固定され、扉２の開放状態が保持される。
【０００３】
又、扉２の裏側に設けられた逆Ｌ字状の解除杆１４はほぼ水平方向の横杆１５と、上下方向の縦杆１６とからなり、横杆１５と縦杆１６との連結部１７が支持ピン１８により支持され、解除杆１４は回動自在になっている。横杆１５の先端部には押上体１９が固着され、押上体１９の押上片２０がアーム１０の下方に位置し、押上体１９の下片２１にガイド孔２２が形成され、扉２の裏面に植設されたガイドピン２３がガイド孔２２に挿通され、ガイドピン２３により押上体１９の上下動がガイドされる。又、縦杆１６の下端部にはL形の押圧体２４が固着され、押圧体２４は取手２５とほぼ同じ高さ位置にあり、縦杆１６の押圧体２４より少し高い位置にはガイド溝２６が形成され、扉２の裏面に植設されたガイドピン２７がガイド溝２６に挿入され、ガイドピン２７により縦杆１６の左右動がガイドされる。
【０００４】
前記構成において、扉２の閉塞状態では、案内ピン１１が長孔６の大孔７側に位置し、保持体１３がガイド板４の上面に位置し、取手２５により扉２の閉塞状態を保持しており、把手２５を回して手前に引くと、扉２は開放状態となる。このとき、保持体１３はガイド板４の上面を摺動し、案内ピン１１が長孔６を移動し、保持体１３がガイド板４の上面から離れ、保持体８に当り、扉２の開放状態がロックされて保持される。次に、扉２を閉塞する場合、押圧体２４を扉２の支軸３側へ押圧すると、解除杆１４が扉２の裏面から見て時計方向に回転し、横杆１５の先端の押上体１９が上動し、押上片２０がアーム１０を押し上げ、保持体１３が保持部８から離れ、ロックされた扉２の開放状態が解除され、扉２を閉鎖方向に回動すると、保持体１３がガイド板４上に載り、ガイド板４上を摺動し、扉２が閉鎖される。従って、開放状態に保持された扉２を、押上体２４を押圧することにより容易に閉塞することができ、押上体２４が支軸３とは反対の取手２５側であるため、解除操作がきわめて容易で安全である。
【特許文献１】特開２００１−２９８８１３号公報
【発明の開示】
【発明が解決しようとする課題】
【０００５】
しかしながら、前記した従来の配電盤の扉ストッパ構造は、スライド式を採用しているために、扉２を開閉する時に、ストッパ構造の構成部品の表面に形成された塗料やメッキの粉が扉２の内面に設けられている電流計の端子等の上へ落下し、電流計等が誤動作を生じたり、表示が見難くなったりした。又、構造が複雑であった。
【０００６】
この発明は上記のような課題を解決するために成されたものであり、扉の開閉時に塗料やメッキの粉が電流計等の上へ落下することがなく、電流計等の誤動作や表示の見難さを防止することができるとともに、構造を簡単安価にすることができる配電盤のストッパ構造を得ることを目的とする。
【課題を解決するための手段】
【０００７】
この発明の請求項１に係る配電盤の扉ストッパ構造は、配電盤本体に扉を蝶番を介して水平方向回動自在に取り付けた配電盤の扉ストッパ構造において、扉の内面に取り付けられた回転軸支持部材と、回転軸支持部材に回転自在に支持された回転軸と、一端が回転軸に取り付けられるとともに、他端にゴム部材が取り付けられた棒状部材と、扉の内面に取り付けられ、棒状部材の収納時に棒状部材をゴム部材を上端にした状態で保持する保持部材とを備え、棒状部材の収納時には保持部材により棒状部材をゴム部材を上端にした状態で保持するとともに、扉を開いた際には保持部材を開放して棒状部材を回動し、ゴム部材を床面に係合させるものである。
【０００８】
請求項２に係る配電盤の扉ストッパ構造は、前記蝶番に扉が開き過ぎないように扉を係止する係止部材を設けたものである。
【発明の効果】
【０００９】
以上のようにこの発明の請求項１によれば、扉を開いた際に保持部材を開放して棒状部材を回動し、ゴム部材を床面に係合させており、ゴム部材と床面との摩擦により扉を固定することができる。このように、ストッパ構造がスライド式でないので、塗料やメッキの粉が電流計等の表面に付着することがなく、誤動作や表示の見難さは生じない。又、回転軸支持部材と回転軸と棒状部材とゴム部材と保持部材とから構成しているので、構成が簡単で安価になる。
【００１０】
又、請求項２によれば、蝶番に扉が開き過ぎないように扉を係止する係止部材を設けたので、扉の開き過ぎを防止することができる。
【発明を実施するための最良の形態】
【００１１】
以下、この発明を実施するための最良の形態を図面とともに説明する。図１はこの発明の実施最良形態による配電盤の扉ストッパ構造の斜視図、図２（ａ），（ｂ）は同じく扉ストッパ構造の棒状部材の収納時及びストッパ時の動作説明図、図３（ａ），（ｂ）は同じく扉ストッパ構造の要部横断平面図及び扉を開けた状態の斜視図である。図において、１は配電盤本体、２は配電盤本体１に蝶番２８を介して水平方向回動自在に取り付けられた扉、２９は扉２の内面に取り付けられた回転軸支持部材であり、先端側が上方から見てコ字状となっている。３０は回転軸であり、回転軸支持部材２９に回転自在に支持される。３１は一端が回転軸３０に取り付けられるとともに、他端にゴム部材３２が取り付けられた棒状部材である。又、３３は棒状部材３１の収納時に棒状部材３１をゴム部材３２を上端にした状態で保持する保持部材であり、扉２の内面にねじ３４により着脱自在に取り付けられる。２５は扉２の取手、３５は扉２の内面側に設けられた電流計である。又、蝶番２８には、扉２の開き過ぎを防止するために、ゴム製パッキン等からなる扉２の係止部材３６を取り付ける。
【００１２】
次に、前記構成の動作について説明する。まず、扉２を閉じた状態においては、図２（ａ）に示すように棒状部材３１をゴム部材３２を上端にした状態で保持部材３３により保持し、棒状部材３１を扉２の内側に収納した状態とする。次に、扉２を９０度〜１３０度程度開いたときには、図２（ｂ）に示すようにねじ３４を取り外して保持部材３３を取り外し、棒状部材３１を回転軸３０を中心にして約１８０度回動し、ゴム部材３２をコンクリート面等の床面３７に係合させる。これにより、ゴム部材３２は変形して床面３７との摩擦面が増大し、床面３７との摩擦により扉２は固定される。又、扉２を１３０度以上開こうとすると、扉２は係止部材３６により係止され、扉２が開き過ぎないようにする。
【００１３】
以上のように、前記した実施最良形態においては、扉２を開いた際には、保持部材３３を取り外し、棒状部材３１を回動してゴム部材３２を床面３７と係合させ、ゴム部材３２と床面３７との摩擦により扉２を固定しており、従来のように扉のストッパ構造がスライド式でないので、部品表面に設けられた塗料やメッキの粉が電流計３５等の表面に付着することがないので、電流計３５等が誤動作をすることがなく、表示が見難くなることもない。又、扉ストッパ構造が回転軸支持部材２９と回転軸３０と棒状部材３１とゴム部材３２と保持部材３３とから構成しているので、構成が簡単で安価になる。さらに、蝶番２８に扉２が開き過ぎないように扉２を係止する係止部材３６を設けたので、扉２の開き過ぎを防止することができる。
【００１４】
なお、保持部材３３はねじ３４により着脱自在としたが、着脱が面倒なので、傘立ての留め金のように単に留め金により係脱自在の構造としてもよい。
【図面の簡単な説明】
【００１５】
【図１】この発明の実施最良形態による配電盤の扉ストッパ構造の斜視図である。
【図２】実施最良形態による配電盤の扉ストッパ構造の棒状部材の収納時及びストッパ時の動作説明図である。
【図３】実施最良形態による配電盤の扉ストッパ構造の要部横断平面図及び扉を開けた状態の斜視図である。
【図４】従来の配電盤の扉ストッパ構造の正面図である。
【図５】従来の配電盤の扉ストッパ構造の横断平面図である。
【符号の説明】
【００１６】
１…配電盤本体
２…扉
２８…蝶番
２９…回転軸支持部材
３０…回転軸
３１…棒状部材
３２…ゴム部材
３３…保持部材
３４…ねじ
３５…電流計
３６…係止部材
３７…床面